(57)【要約】      （修正有）【課題】食肉包装用トレーを搬送する装置において、搬送チェーンなど装置内部の汚れや作動不良を防ぐとともに、清掃作業を楽に行なえるようにする。【解決手段】食肉包装用トレーを搬送する搬送チェーンの上方を覆う左右一対のカバー１８を、搬送チェーンが有するトレー送り片の通路を確保しながら、左右上方へ観音開き状に９０度以上開放可能に設けて、カバーの一部を支持板６に当接させ、カバーの閉鎖もしくは開放状態をカバーの自重で保持させる。また、通路の真下に、通路内に落下した食肉を下方へ誘導する排出路２０ｃを形成する。【選択図】図５
2020200150.tif 000002
【特許請求の範囲】
【請求項１】
食肉包装用トレーを、左右幅方向の両側辺及び高さ方向を規制して所定位置まで案内する、トレー搬送方向に沿って左右に延設された、相互の間隔が調節可能な一対のトレーガイドと、
トレーガイドの下方に、トレー搬送方向に沿って延設された左右一対の支持板と、
両支持板の間でトレー搬送方向に沿って巻回される、トレー送り片を有してトレーを搬送する搬送チェーンと、
を有する食肉包装用トレーの搬送装置において、
トレー搬送方向に沿って延びる左右一対のカバーが、
左右の支持板に、
トレーガイドの底部との隙間を保って、左右トレーガイド間の幅方向の中心位置にトレー送り片の通路を確保しながら、搬送チェーンの上方を覆うように、
且つ、通路側の長辺は上方に折り曲げられ、反通路側の長辺は支持板の外側に突出させた状態で、
それぞれ支持されていて、
支持部を回動支点として左右上方へ観音開き状に９０度以上開放可能とされ、
閉鎖時には回動支点より内側における一部が、
開放時には回動支点より外側における一部が、
支持板に当接して支持されて、
両カバーの閉鎖もしくは開放状態が、カバーの自重によって保持される
ことを特徴とする食肉包装用トレーの搬送装置。
【請求項２】
搬送チェーンが、トレー送り片の通路から左右いずれかに偏った位置で巻回された構成であって、
通路の真下に、少なくとも上縁が通路幅より広い間隔を保ってトレー搬送方向に沿って延設された左右一対の壁板材によって形成される間隙を、通路内に落下した食肉を下方へ誘導する排出路とした
ことを特徴とする請求項１に記載の食肉包装用トレーの搬送装置。
【発明の詳細な説明】
【技術分野】
【０００１】
この発明は、食肉包装用に用いられる発泡樹脂などから作られたトレーを所定位置まで搬送する、トレー搬送装置に関する。
【背景技術】
【０００２】
本発明に関する従来のトレー搬送装置として、例えば特許文献１がある。
特許文献１におけるトレー供給装置は、トレー搬送方向に沿って延設された一対のガイドでトレーの両側辺を規制しながら、ガイド間のスプロケットに掛け回された、トレー係止用ラグ（本発明における「トレー送り片」に相当）を有するチェーンを回転させ、トレーを所定位置まで搬送するものである。この時、ガイド間の上面、即ち、チェーンなど装置内部の上方は、トレー係止用ラグの通路を確保しながら機体に固定された薄板に覆われている。
所定位置に搬送されたトレーには様々な物品が収容されるが、収容時には、物品がトレーに収まらずこぼれ落ちることがある。こぼれ落ちた物品は、装置内部のチェーンなどに付着してしまえば動作不良につながるため、薄板で装置内部の上方を覆うことによって、動作不良を防止している。また、薄板の表面は、トレーの底部を支持するトレー搬送面を兼ねる。
【０００３】
特に、トレーに収容される物品が食品で、しかもスライス肉などの食肉であった場合、トレーに収容されずにこぼれ落ちた食肉がトレー係止用ラグの通路に落下して、装置内部、特にチェーンに付着してしまうと、食肉の筋がチェーンに絡みつくなどして動作不良を引き起こす。また、装置内部が汚れるので、衛生的にも好ましくない。
そのため、装置内部、特にチェーンの上方を覆って汚れや動作不良を防ぐとともに、メンテナンス作業、特に、清潔を保つための毎日の清掃作業が、簡単且つ楽に行なえることが望ましい。
しかし、特許文献１においては、薄板が機体に固定されているため、装置内部の清掃などを行なうにあたって、ガイド間にトレー搬送始端もしくは終端側から手を差し込んだり、装置の下方に潜り込んだりする必要があり、作業しづらい。その中でもチェーンは、絡みついた食肉の筋を取り除くなどの清掃が必要だが、薄板で覆われているために、上方から目視したり触ったりできず、殊更に作業が行ないづらい。
薄板を機体から取り外してもよいが、薄板はトレーの底部を支持するトレー搬送面を兼ねるため、作業後には、トレーが水平に搬送されるように再度、正確に薄板を取り付けなければならず、復帰作業が煩わしい。
【先行技術文献】
【特許文献】
【０００４】
【特許文献１】特開２０１１−２３６０５０号公報
【発明の概要】
【発明が解決しようとする課題】
【０００５】
従来発明における課題は、こぼれ落ちた食肉が特にチェーンに付着しないように装置内部の上方を覆うことと、装置内部の毎日の清掃作業及び作業後の復帰作業を行ないやすいことが、両立されていない点である。
【課題を解決するための手段】
【０００６】
本発明は、食肉包装用トレー搬送装置において、トレー搬送方向に沿って延びる左右一対のカバーが、左右の支持板に、トレーガイドの底部との隙間を保って、左右トレーガイド間の幅方向の中心位置にトレー送り片の通路を確保しながら、搬送チェーンの上方を覆うように、且つ、通路側の長辺は上方に折り曲げられ、反通路側の長辺は支持板の外側に突出させた状態で、それぞれ支持されていて、支持部を回動支点として左右上方へ観音開き状に９０度以上開放可能とされ、閉鎖時には回動支点より内側における一部が、開放時には回動支点より外側における一部が、支持板に当接して支持されて、両カバーの閉鎖もしくは開放状態が、カバーの自重によって保持されることを特徴とする。
【０００７】
また、搬送チェーンが、トレー送り片の通路から左右いずれかに偏った位置で巻回された構成であって、通路の真下に、少なくとも上縁が通路幅より広い間隔を保ってトレー搬送方向に沿って延設された左右一対の壁板材によって形成される間隙を、通路内に落下した食肉を下方へ誘導する排出路とすることが好ましい。
【発明の効果】
【０００８】
本発明によれば、閉鎖時には搬送チェーンの上方を覆っているカバーが、支持部を回動支点に開放可能なので、開放すれば、搬送チェーンを始めとする装置内部の清掃作業などを上方から行なうことができる。そのため、こぼれ落ちた食肉が搬送チェーンなどに付着することを防止するだけでなく、清掃などの作業が行ないやすい。しかも、作業後は支持部を中心に回動させてカバーを閉じれば、元の位置状態に簡単且つ確実に復帰できる。
また、カバーの開閉時は、カバーの一部が支持板に当接して支持されることで、開閉状態がカバーの自重で保持でき、構成が簡単で操作が容易である。
【０００９】
更に、カバーのトレー送り片の通路側の長辺が上方に折り曲げられているので、カバー上にこぼれ落ちた食肉が通路内に侵入しにくい。また、通路の真下から搬送チェーンを逃がして、通路の真下に、左右一対の壁板材によって形成される排出路を設けたため、こぼれ落ちた食肉による搬送チェーンなどの汚れや動作不良を一層防止できる。
【図面の簡単な説明】
【００１０】
【図１】本発明のトレー供給装置の実施形態を示す側面図である。
【図２】図１におけるトレー搬送装置の平面図である。
【図３】図１におけるＡ−Ａ断面の拡大図である。
【図４】図３におけるＢ−Ｂ断面の側面図である。
【図５】図３において、対向するトレーガイドの間隔が広げられてカバーが開放された状態を示す。
【発明を実施するための形態】
【００１１】
本発明の実施形態について、図を参照しながら説明する。なお、本実施形態では、使用されるトレーは発泡樹脂から造られた発泡トレーを、トレーに収容されるトレー収容物は、スライス肉やミンチ肉といった食肉を、それぞれ対象としている。
本発明に係るトレー供給装置は、複数個のトレーｔを上下に積層させた積層トレーを収容する収容樋１と、収容樋１から最下位トレーを１個ずつ分離するトレー分離手段４と、分離されたトレーｔを受けて所定位置まで搬送するトレー搬送装置５と、から構成される。
【００１２】
収容樋１は、積層トレーが自重で滑落するよう、積層トレーを適宜傾斜させて収容、保持しており、積層トレーの四隅を規制する規制ガイド２と、積層トレーの最下位トレーの底面の隅部を支持する支持部材３とを有する。
収容樋１の底部には、積層トレーから最下位トレーを１個ずつ分離するトレー分離手段４が設けられる。トレー分離手段４は、吸着器と吸着器を支持するアームとからなり、吸着器で最下位トレーの底面を吸着してからアームを移動させると、収容樋１から最下位トレーが抜け出して積層トレーから分離される。分離されたトレーｔは、トレー搬送装置５に載置されて搬送が開始される。
なお、規制ガイド２及び支持部材３は、使用されるトレーｔの大きさに応じて、図示しない適宜調節手段によって、前後左右の間隔が調節される。また、支持部材３は、トレー分離手段４で最下位トレーを分離する際にトレーｔが破損することなく抜け出せるように配慮する。
【００１３】
分離されたトレーｔは、トレー分離手段４の下方に延設されるトレー搬送装置５に載置され、所定位置、即ち、食肉がトレーｔに投入される位置まで搬送される。
トレー搬送装置５は、トレー搬送方向に沿って延設される左右一対の支持板６、６と、両支持板６の間に巻回されトレーｔを搬送する搬送チェーン７と、トレー搬送始端部でトレーｔを受け取る受取板１１、１１と、トレーｔの両側辺を規制して案内する一対のトレーガイド１５、１５・・と、両支持板６の間の上面を覆うカバー１８、１８と、を備えている。
【００１４】
なお、本実施形態では図１及び２に示されるように、食肉の供給装置Ｔがトレー搬送装置５と直交して延設され、食肉はトレー搬送方向と直交して供給される構成である。
供給装置Ｔは、終端部がトレー搬送装置５における所定位置の上方にかぶさるように設けられ、所定範囲を食肉の供給方向に沿って水平方向に出退可能とされる。前進状態である供給装置Ｔの終端部まで食肉が送られると、供給装置Ｔの終端部が後退し、食肉がトレーｔ内へ落下し投入される。
また、本実施形態では、食肉は２列並行して供給され、所定位置まで搬送された２つのトレーｔ、ｔに同時に投入される構成であるが、供給される食肉の列数や所定位置におけるトレーの数は限定されるものではない。
【００１５】
トレー搬送装置５における支持板６、６は、トレー分離手段４の下方を始端としてトレー搬送方向に沿って延設される、左右一対の板材からなる。
支持板６、６の間には、トレーｔを搬送するための搬送チェーン７と、後述のネジ軸１７、１７を回転させるための調節チェーン９とが張設され、搬送チェーン７はスプロケット１０ａ、１０ａに、調節チェーン９はスプロケット１０ｂ、１０ｂに、それぞれトレー搬送方向に沿って巻回されている。
【００１６】
搬送チェーン７には、トレー送り片８が適宜な間隔を空けて複数設けられている。搬送チェーン７が巻回されたスプロケット１０ａ、１０ａのうち、図示しないモーターと連結されたいずれかのスプロケット１０ａを駆動させることで、分離されたトレーｔの一辺にトレー送り片８が当接しながら搬送チェーン７が回転され、トレーｔが所定位置へ搬送される。
なお、本実施形態では図２及び図３に示される通り、搬送チェーン７が、両支持板６の幅方向の中心位置から左右いずれか一方のトレーガイド１５側に偏って巻回された構成であるが、トレー送り片８は、走行ラインが支持板６、６の幅方向の中心位置にくるよう、搬送チェーン７に設けられている。
【００１７】
トレー分離手段４の下方位置である、トレー搬送装置５におけるトレー搬送始端部には、分離されたトレーｔを受け取る受取板１１、１１が設けられている。
受取板１１、１１は左右一対とされ、トレー分離手段４及びトレー送り片８の通路を確保しながら、支持板６、６にそれぞれ支持される。両受取板１１は、分離されたトレーｔの底面を受けるとともに、トレー搬送始端部における搬送チェーン７の上方を覆っている。
更に、受取板１１、１１におけるトレー搬送始端側には、それぞれ支点１２、１２が設けられていて、図１及び図４に示される通り、支点１２を中心に回動させることで、後述の規制板１４、１４に妨げられることなく、受取板１１、１１を開閉できる構成である。
なお、受取板１１、１１におけるトレー搬送終端側は、トレーｔを受け取る際の衝撃で両受取板１１が跳ね上がらないよう、適宜な係止手段で支持板６、６に係止される。本実施形態では係止手段として蝶ボルト１３、１３を用いており、受取板１１、１１を開放する際は、各蝶ボルト１３を緩めて、支点１２、１２を回動支点として回動させればよい。
【００１８】
受取板１１、１１によるトレーｔの受取位置にあたる、トレー搬送装置５におけるトレー搬送始端部の左右には、分離されたトレーｔの姿勢及び受取位置が乱れないように規制する規制板１４、１４が備えられる。
規制板１４、１４は、規制ガイド２の下端部に取り付けられた左右一対の板材からなるものであって、トレーｔが積層トレーの最下端から分離されて受取板１１に載置されるまでの間、トレーｔの左右方向を規制する。
また、使用されるトレーｔが変更されれば、規制板１４、１４の相互の間隔を調節する必要があるが、本実施形態では規制板１４、１４を規制ガイド２の左右下端部にそれぞれ取り付けたことで、規制ガイド２がトレーｔに応じて調節されると、同時に両規制板１４が移動され、相互の間隔が調節される構成である。
なお、規制板１４、１４の形状や構成は適宜変更可能である。
【００１９】
受取板１１、１１に載置されたトレーｔは、支持板６、６の上方に設けられた略コ字状のトレーガイド１５、１５・・によって、所定位置まで案内される。
本実施形態におけるトレーガイド１５、１５・・は、トレー搬送方向に沿って左右に延設され、左右それぞれで３分割されている。左右のトレーガイド１５、１５・・は、分離されたトレーｔを、トレーｔの左右幅方向の両側辺を規制して案内するとともに、図３の通りトレーｔの上下を緩く挟むように支持して、トレーｔの高さ方向を規制する。また、本実施形態におけるトレーガイド１５、１５・・は、トレー搬送方向に沿って左右に延設されたガイド支持材１６、１６にそれぞれ突設されている。
【００２０】
なお、左右それぞれで３分割されたトレーガイド１５、１５・・のうち、所定位置におけるトレーガイド１５、１５・・は、本出願人による特開２０１９−６４８０８のように、エアーシリンダーなどの適宜手段を用いて、所定位置にあるトレーｔを供給装置Ｔに近づけるよう昇降させるリフト構造としてもよい。この構成によれば、食肉をトレーｔに投入する時、食肉とトレーｔとの落差が小さくなるので、より確実に投入できる。また、トレーガイド１５、１５・・は、トレーｔを上下から挟むように支持する形状であるため、食肉の投入時の衝撃によってトレーｔが上下に跳ねるなど、トレーｔの姿勢が乱れることを防止できる。
また、トレーガイド１５、１５・・の分割数は、食肉の供給列数やトレーの大きさなどに応じて、適宜変更可能である。
【００２１】
トレーガイド１５、１５・・を支持するガイド支持材１６、１６は、支持板６、６に、ネジ軸１７、１７を介して支持されている。
ネジ軸１７、１７の端部はそれぞれ、一端は右ネジ、他端は左ネジ、と両端で逆の方向のネジが形成されており、ガイド支持材１６、１６は、両ネジ軸１７に形成された各ネジが螺合されるネジ部を有する。ネジ軸１７、１７はそれぞれ、ガイド支持材１６、１６のネジ部に螺合されるとともに、調節チェーン９が巻回されたスプロケット１０ｂ、１０ｂを貫通して、支持板６、６に回転可能に支持される。
【００２２】
この構成によれば、スプロケット１０ｂ、１０ｂのうち、図示しないモーターと連結されたいずれかのスプロケット１０ｂが駆動されると、調節チェーン９を介して両スプロケット１０ｂが回転され、同時に各スプロケット１０ｂに貫設されたネジ軸１７、１７も回転される。すると、ネジ軸１７、１７の回転に伴い、対向するガイド支持材１６、１６及びトレーガイド１５、１５・・が同時に、内向きもしくは外向きに、トレー搬送方向と直交して平行移動され、使用されるトレーｔの大きさに応じて、対向するトレーガイド１５、１５・・の幅方向の間隔Ｓを調節できる。
なお、いずれかのネジ軸１７の一端にハンドルを取り付けて、ハンドルを回してネジ軸１７、１７を回転させることで、間隔Ｓを手動で調節できるようにしてもよい。
【００２３】
また、間隔Ｓの調節は、ガイド支持材１６及びトレーガイド１５の左右いずれか一方を定位置に固定したまま、他方のみを移動させることで行なってもよい。
例えば、図２における上側（図３における右側）のガイド支持材１６及びトレーガイド１５はその場から移動させずに、図２における下側（図３における左側）のガイド支持材１６及びトレーガイド１５のみを移動させることで、間隔Ｓを調節する構成でもよい。この時、上側、即ち固定側のガイド支持材１６及びトレーガイド１５を、適宜手段によって移動可能とし、後述のカバー１８の開閉を妨げない位置まで退避できるようにするのもよい。
【００２４】
左右の支持板６、６には、トレーガイド１５、１５・・の底部との隙間を保ちながら、トレー搬送方向に沿って延びる、左右一対のカバー１８、１８が設けられる。
カバー１８、１８はそれぞれ、対向する両トレーガイド１５、１５・・の幅方向の中心位置にトレー送り片８の通路を確保しながら、支持板６、６の間の上面、即ち、搬送チェーン７やスプロケット１０ａなどの上方を覆うように、各支持板６に支持されている。この時、カバー１８、１８はそれぞれ、支持部を支点とする回動が可能とされるよう、支持板６、６に取り付けられる。本実施形態における各カバー１８は、図３及び図５に示す通り、蝶番を支持部として各支持板６に取り付けられていて、支持部（蝶番）を回動支点として、左右上方へ観音開き状に９０度以上開放可能とされる。なお、蝶番は回動可能な適宜手段に変更可能である。
また、各カバー１８のトレー送り片８の通路側の長辺は、図２及び図３の通り、カバー１８の略全長に亘って上方に適宜折り曲げられている。同時に、各カバー１８の反通路側の長辺は、各支持板６による支持部より外側に突出された状態である。
【００２５】
カバー１８、１８の各裏面における支持部より内側の一部には、両カバー１８の閉鎖時に、両カバー１８が支持板６、６の間へ入り込んで搬送チェーン７など装置内部の機構と接触しないよう、各支持板６に当接される板材が、ストッパー１９、１９として設けられる。本実施形態では図３のように、カバー１８、１８閉鎖時は各ストッパー１９が各支持板６の上部と当接し、両カバー１８の表面が水平に保持される。
なお、ストッパー１９、１９の厚みを調節するなど、カバー１８閉鎖時のカバー表面のなす角度は適宜変更できる。例えば、各カバー１８をトレー送り片８の通路側が高くなるように傾斜させれば、カバー１８、１８上にこぼれ落ちた肉汁などが、両カバー１８表面を伝って支持板６、６の外側（反通路側）へ流れ落ちるように排出される。
【００２６】
装置稼動中、つまりトレーｔの搬送中はカバー１８、１８を閉じているが、両カバー１８上には、トレーガイド１５、１５・・が突出されているため、或いは、搬送中のトレーｔがあるため、開いてしまうことはない。また、両カバー１８上にトレーガイド１５やトレーｔがない時も、ストッパー１９、１９を介して、各支持板６に当接して支持されている。そのため、両カバー１８は、閉鎖状態を保持するための保持具を設けなくても、カバー１８の自重で閉鎖状態が保持される。
なお、カバー１８、１８を閉じる時に、ストッパー１９、１９を支持板６、６に当接させる前に手を放してしまっても、ストッパー１９が支持板６に当接してカバー１８が止まるので、両カバー１８が支持板６、６の間に入り込んで周囲の機構と接触してしまうことを防止できる。
【００２７】
更に、本実施形態では、カバー１８、１８のトレー送り片８の通路側の長辺が上方に折り曲げられているものの、閉鎖時の両カバー１８は水平に保持されるので、同カバー１８、１８を傾斜させて保持した場合に比べて、トレー送り片８の通路の開口幅は狭い。そのため、供給装置Ｔから供給される食肉がトレーｔにうまく入らずにこぼれ落ちるなどしても、装置内部、特に支持板６、６の間であるトレー送り片８の通路内に食肉が入り込む恐れが低い。加えて、カバー１８、１８におけるトレー送り片８の通路側の長辺は、それぞれ上方に折り曲げられているので、通路付近にこぼれ落ちた食肉をカバー１８上へ誘導するとともに、カバー１８上にこぼれ落ちた、もしくは誘導された食肉が、通路から装置内部に侵入することを防止できる。
従って、カバー１８、１８を閉じておけば、搬送チェーン７などの装置内部に、落下した食肉の汚れが付着することを防ぎ、作動不良を引き起こす恐れを軽減できる。
【００２８】
また、本実施形態では前述の通り、搬送チェーン７が左右いずれかの支持板６側に偏って巻回されているため、両カバー１８によるトレー送り片８の通路の真下に、左右一対の壁板材２０によって形成される、通路内にこぼれ落ちてしまった食肉を機外下方へ誘導、排出する排出路２０ｃを設けることが好ましい。
図３から図５に示される通り、本実施形態における壁板材２０ａ、２０ｂは、トレー送り片８の通路側の長辺の下方にあたる位置で、搬送チェーン７の通路側に隣接して、トレー搬送方向に沿って左右一対で延設され、左右いずれかの支持板６に支持されている。また、両壁板材２０は相互の間隔を保って対向していて、この両壁板材２０によって通路の真下に形成される間隙が、通路内に落下した食肉を下方へ誘導する排出路２０ｃとされる。この時、両壁板材２０は少なくとも、所定位置において食肉がトレーｔに供給される範囲、即ち、供給装置Ｔの終端部に臨む範囲に亘って延設される。本実施形態における両壁板材２０は、図４に示される通り、トレー搬送始端部付近から搬送終端部に亘って延設され、両誘導板２０の略中央部で分割されている。
更に、壁板材２０ａ、２０ｂのそれぞれの上縁は、カバー１８、１８の通路側の長辺よりも外側（支持板６側）とされる。つまり、排出路２０ｃは、少なくとも排出路２０ｃの通路に臨む側の幅（両壁板材２０の上縁の相互間隔）が通路の開口幅より広い状態であって、上方から見た時に、排出路２０ｃが通路を内包するように形成されている。
【００２９】
トレー送り片８の通路内にこぼれ落ちた食肉は、通路の真下に形成された排出路２０ｃを通って下方へ誘導され、機外へ排出される。そのため、通路内に食肉が落下しても、搬送チェーン７などに食肉が付着して汚れたり動作不良を起こしたりする恐れが一層少ない。
なお、壁板材２０ａ、２０ｂの形状や構成は適宜変更可能であるが、少なくとも両壁板材２０の上縁を両カバー１８の通路側の長辺より外側（支持板６側）に位置させることが好ましい。この構成であれば、排出路２０ｃの少なくとも通路に臨む側の幅が、トレー送り片８の通路の開口幅以上となり、排出路２０ｃにおけるこぼれ落ちた食肉の入り口が広くなるため、通路内にこぼれ落ちた食肉を、より確実に排出路２０ｃへ、ひいては機外へ誘導することができる。
【００３０】
また、特許文献１のような従来の構成のトレー供給装置では、食肉がトレーからこぼれ落ちた際、搬送されるトレーの底面を支持するトレー搬送面上（特許文献１における「薄板」の表面に相当）に落ちた食肉にトレーが乗り上げてしまうなど、トレーの搬送が妨げられてしまっていた。すると、トレーの搬送ミスといった作業中のトラブルにつながるだけでなく、食肉の付着などでトレー裏面が汚れたものは、商品としては提供できなくなってしまう。
しかし、本実施形態におけるカバー１８、１８は、トレーガイド１５、１５・・の底部と隙間を保って設けられており、トレーｔの底面を支持するトレー搬送面は、特許文献１における薄板の表面に相当するカバー１８、１８の表面ではなく、トレーガイド１５、１５・・が担っている。従って、前述のように食肉がトレーｔからこぼれ落ちても、トレーガイド１５、１５・・の底部とカバー１８、１８との隙間に食肉が収まるので、落ちた食肉によってトレーｔの搬送が妨げられたり、トレーｔの裏面が汚れたりする恐れが少ない。
【００３１】
トレー搬送装置５におけるトレー搬送終端部の左右には、搬送されたトレーｔを次工程へ案内する案内具２１、２１がそれぞれ設けられる。
案内具２１、２１はそれぞれ、複数の小ローラー２２、２２・・・を有するとともに、次工程に向けて緩やかに下降するように傾斜されていて、搬送されたトレーｔを次工程へ向けて滑落させて案内する。また、両案内具２１はそれぞれガイド支持材１６、１６に固着されているため、使用されるトレーｔの大きさに応じて間隔Ｓが調節されると、両案内具２１も一緒に移動される構成である。
【００３２】
作業終了後の清掃時などには、カバー１８、１８を、支持板６による支持部（蝶番）を支点に回動させて、観音開き状に左右上方へ開放するが、使用されていたトレーｔが小さくて間隔Ｓが狭く、トレーガイド１５、１５・・が両カバー１８上にある時は、トレーガイド１５、１５・・が妨げになり開放できない。その場合は、ガイド支持材１６、１６を間隔Ｓ調節時と同様に移動させることで、トレーガイド１５、１５・・を少なくともカバー１８、１８の開閉の妨げにならない位置まで退避させ、両カバー１８の開閉を可能にする。
なお、使用されるトレーｔが大きくて間隔Ｓが広い場合は、トレーガイド１５、１５・・が常にカバー１８、１８上から外れているため、両カバー１８を開放するにあたって支障はない。
【００３３】
カバー１８、１８は、前述の通り、トレー送り片８の反通路側の長辺が、支持板６の外側に突出するように、各支持板６に支持されている。この構成によれば、両カバー１８を水平に対して少なくとも９０度をなすまで開くと、支持板６の外側に突出されたカバー１８における反通路側の長辺の一部が、図５のように支持板６に当接される。
従って、両カバー１８は、開放してもトレーガイド１５など周囲の機構に接触することがなく、また、開放状態の保持を目的とした保持具を設けなくても、ひとりでに閉じてしまうことなく、カバー１８の自重によって開放状態が保持される。
なお、本実施形態では、各カバー１８における反通路側の一部を、各支持板６に直接当接させたが、カバー１８における支持部より外側の一部が、開放時に支持板６に当接される構成であればよい。例えば、支持板６におけるカバー１８の一部との当接点、もしくは、カバー１８における支持板６との当接点に、ボルトなどの突出部材を設け、開放時のカバー表面がなす角度を、突出部材の突出具合で調節可能な構成としてもよい。
【００３４】
カバー１８、１８と受取板１１、１１とを開放すると、搬送チェーン７など装置内部の上方が、搬送チェーン７の略全長に亘って開放される。そのため、装置下方に潜り込んだりすることなく、搬送チェーン７などの清掃作業を楽に行なうことができる。
しかも、開放されたカバー１８、１８は、図３の通り、水平に対してカバー表面が９０度以上をなす位置を自重で保持できる構成のため、開放状態を保持する保持具を設けなくても、ひとりでに閉じてしまうことはなく、開放状態が簡単に保持される。
【００３５】
更に、カバー１８、１８は支持板６、６による支持部（本実施形態では蝶番）を、受取板１１、１１は支点１２、１２を、それぞれ回動の支点とする開閉なので、清掃などの作業後は、各支持部もしくは支点を中心に回動させるだけで、簡単且つ確実に元の位置である閉鎖状態に復帰可能である。
【００３６】
このように、食肉包装用トレーの搬送装置において、トレー送り片の通路から左右いずれかに偏った位置で巻回された搬送チェーンなどで構成される装置内部の上方を覆う開閉可能なカバー及び受取板が、自重で開閉状態を保持できるように設けられ、しかもトレー送り片の通路の下方には、通路内に落下した食肉を機外下方へ誘導する排出路が形成されることで、トレーに収容される食肉がこぼれ落ちても、搬送チェーンなどに付着する恐れが少ない。そのため、簡単な構成で、搬送チェーンを始めとする内部装置が汚れたり動作不良を引き起こしたりすることを防止し、清掃作業や清掃後の復帰作業などを容易に行なうことができる。
なお、本願においては、トレー収容物が食肉に限定されているが、食肉以外の食品、特に軟弱な食品の包装用としても利用可能である。
【符号の説明】
【００３７】
６  支持板
７  搬送チェーン
１５  トレーガイド
１６  ガイド支持材
１７  ネジ軸
１８  カバー
２０  壁板材
【図１】
2020200150.tif 000003
【図２】
2020200150.tif 000004
【図３】
2020200150.tif 000005
【図４】
2020200150.tif 000006
【図５】
2020200150.tif 000007